(57)【要約】      （修正有）【課題】下床と上床との間の防振性能をさらに向上する防振部材を提供すること、及び高い防振性を確保した二重床構造を提供する。【解決手段】防振部材３０は、二重床構造１００の支持具２０を載せるゴム製の防振部材３０である。防振部材３０は、支持具２０の下端に設けられたゴム製の脚部２２の一部を入れる凹部３１を含む。凹部３１は、脚部２２の下面と接触する底面と、脚部２２の周りに配置される環状の側面３２と、側面３２から内方へ突出する複数の凸部と、を含む。【選択図】図２
0003211904.tif 000002
【実用新案登録請求の範囲】
【請求項１】
二重床構造の支持具を載せるゴム製の防振部材であって、
前記支持具の下端に設けられたゴム製の脚部の一部を入れる凹部を含み、
前記凹部は、
前記脚部の下面と接触する底面と、
前記脚部の周りに配置される環状の側面と、
前記側面から内方へ突出する複数の凸部と、
を含むことを特徴とする、防振部材。
【請求項２】
請求項１において、
互いに隣接する前記凸部は、間隔を隔てて前記側面の全周にわたって配置されることを特徴とする、防振部材。
【請求項３】
請求項１または２において、
前記凸部は、前記凹部に前記脚部の一部を入れた際に、前記脚部の外面と接触することを特徴とする、防振部材。
【請求項４】
請求項３において、
前記凸部が前記脚部の前記外面と接触する面積は、前記側面の全体の面積の半分以下であることを特徴とする、防振部材。
【請求項５】
請求項１〜４のいずれか１項において、
前記凹部の深さは、前記脚部の高さの１／８〜１／３であることを特徴とする、防振部材。
【請求項６】
請求項１〜５のいずれか１項において、
前記防振部材のゴム硬度は、前記脚部のゴム硬度よりも低いことを特徴とする、防振部材。
【請求項７】
請求項１〜６のいずれか１項の前記防振部材の前記凹部に前記脚部が挿入された前記支持具と、前記支持具が置かれる下床と、前記下床の上方にあって前記支持具によって支えられる上床と、を含む、二重床構造。
【考案の詳細な説明】
【技術分野】
【０００１】
本考案は、二重床構造の支持具を載せるゴム製の防振部材及び防振部材を備える二重床構造に関する。
【背景技術】
【０００２】
二重床の支持具（足部材）及び二重床が提案されている（特許文献１）。支持具は、鉄筋コンクリート造などのコンクリートスラブ等の下床の上に上床を施工する二重床において、上床を支持するものである。支持具の下端にはゴム製の脚部（防振具）が固定され、防振具は上床と下床との間の振動を減衰する。脚部（防振具）は、支持具と一体となって施工される。
【０００３】
しかしながら、脚部（防振具）を具備する支持具であっても、近所の鉄道や工事による振動に対する防振性のさらなる向上が望まれている。
【先行技術文献】
【特許文献】
【０００４】
【特許文献１】特開２０１１−２４６９０６号公報
【考案の概要】
【考案が解決しようとする課題】
【０００５】
本考案は、下床と上床との間の防振性をさらに向上する防振部材を提供すること、及び高い防振性を確保した二重床構造を提供することを目的とする。
【課題を解決するための手段】
【０００６】
本考案は上述の課題の少なくとも一部を解決するためになされたものであり、以下の態様または適用例として実現することができる。
【０００７】
［適用例１］
本適用例に係る防振部材は、
二重床構造の支持具を載せるゴム製の防振部材であって、
前記支持具の下端に設けられたゴム製の脚部の一部を入れる凹部を含み、
前記凹部は、
前記脚部の下面と接触する底面と、
前記脚部の周りに配置される環状の側面と、
前記側面から内方へ突出する複数の凸部と、
を含むことを特徴とする。
【０００８】
本適用例に係る防振部材によれば、防振部材が支持具の脚部へ伝わる振動を減衰し、さらに、凸部によって側面と支持具の脚部との間に間隔を設けることにより、脚部への振動の伝達を減少させることができる。
【０００９】
［適用例２］
本適用例に係る防振部材において、
互いに隣接する前記凸部は、間隔を隔てて前記側面の全周にわたって配置することができる。
【００１０】
本適用例に係る防振部材によれば、凸部が側面の全周にわたって配置されることで、脚
部と側面との偏った接触を防ぎ、防振部材から脚部への振動の伝達を確実に減少させることができる。
【００１１】
［適用例３］
本適用例に係る防振部材において、
前記凸部は、前記凹部に前記脚部の一部を入れた際に、前記脚部の外面と接触することができる。
【００１２】
本適用例に係る防振部材によれば、凸部が脚部の外面と接触することにより、脚部を凹部に入れた際に凹部の所定位置に脚部を導き易い。
【００１３】
［適用例４］
本適用例に係る防振部材において、
前記凸部が前記脚部の前記外面と接触する面積は、前記側面の全体の面積の半分以下であることができる。
【００１４】
本適用例に係る防振部材によれば、凹部の側面と脚部とが接触する面積を側面の面積の半分以下とすることで、防振部材から脚部への振動の伝達をより減少させることができる。
【００１５】
［適用例５］
本適用例に係る防振部材において、
前記凹部の深さは、前記脚部の高さの１／８〜１／３であることができる。
【００１６】
本適用例に係る防振部材によれば、施工時に脚部を容易に凹部に入れることができ、施工性に優れる。
【００１７】
［適用例６］
本適用例に係る防振部材において、
前記防振部材のゴム硬度は、前記脚部のゴム硬度よりも低いことができる。
【００１８】
支持具の脚部は上床を支えなければならないため、防振性を犠牲にした比較的高いゴム硬度を有するが、本適用例に係る防振部材によれば、脚部より低いゴム硬度を有することで支持具の脚部よりも高い防振性を有することができる。
【００１９】
［適用例７］
本適用例に係る二重床構造は、適用例１〜６のいずれか１つの前記防振部材の前記凹部に前記脚部が挿入された前記支持具と、前記支持具が置かれる下床と、前記下床の上方にあって前記支持具によって支えられる上床と、を含むことを特徴とする。
【００２０】
本適用例に係る二重床構造によれば、高い防振性を確保した二重床構造を提供することができる。
【考案の効果】
【００２１】
本考案によれば、二重床構造において、下床と上床との間の防振性をさらに向上する防振部材を提供することができる。また、本考案によれば、高い防振性を確保した二重床構造を提供することができる。
【図面の簡単な説明】
【００２２】
【図１】一実施形態に係る二重床構造を示す縦断面図である。
【図２】一実施形態に係る防振部材を備える支持具を示す縦断面図である。
【図３】一実施形態に係る防振部材の縦断面図である。
【図４】一実施形態に係る防振部材の平面図である。
【考案を実施するための形態】
【００２３】
以下、本考案の好適な実施形態について、図面を用いて詳細に説明する。なお、以下に説明する実施形態は、実用新案登録請求の範囲に記載された本考案の内容を不当に限定するものではない。また、以下で説明される構成の全てが本考案の必須構成要件であるとは限らない。
【００２４】
１．二重床構造
図１を用いて、本実施形態に係る二重床構造１００について説明する。図１は、一実施形態に係る二重床構造１００を示す縦断面図である。
【００２５】
図１に示すように、二重床構造１００は、防振部材３０の凹部３１に脚部２２が挿入された支持具２０と、支持具２０が置かれる下床１０と、下床１０の上方にあって支持具２０によって支えられる上床６０と、を含むことを特徴とする。二重床構造１００によれば、防振部材３０高い防振性を確保することができる。特に、二重床構造１００は、近所の鉄道や工事からの振動による比較的低い周波数の振動に対する防振性を発揮する。なお、支持具２０及び防振部材３０については、後述する。
【００２６】
二重床構造１００は、下床１０の上方に上床６０が支持具２０によって支持されているいわゆる乾式二重床構造である。上床６０の上方が例えば居室１０２となる。
【００２７】
下床１０は、上床６０が施工される基盤となる床である。下床１０は、コンクリートスラブ等からなる。
【００２８】
上床６０は、下床１０の上方に施工され、下床１０との間に所定の空間を有する。上床６０は、下床１０上に置かれた複数の支持具２０によって支持される。上床６０と下床１０との間隔は、支持具２０によって調整することができる。上床６０は、ベースパネル６２と、ベースパネル６２上の仕上材６４とを含む。
【００２９】
ベースパネル６２は、合板やパーティクルボードなどの建築構造用の床材である。
【００３０】
仕上材６４は、木質系床材（無垢フローリング、複合フローリング、コルクなど）、繊維系床材（カーペット、タイルカーペット、サイザル麻、ココヤシなど）、または合成樹脂系床材（クッションフロア、フロアタイルなど）などの公知の床仕上げ材である。
【００３１】
２．支持具
図２を用いて、支持具２０について説明する。図２は、図１の二重床構造１００の一部を拡大して示し、一実施形態に係る防振部材３０を備える支持具２０を示す縦断面図である。
【００３２】
図２に示すように、支持具２０は、脚部２２と、ボルト部２４と、受け部２６と、を含む。支持具２０は、土台材４０を介して上床６０を支持してもよい。
【００３３】
脚部２２は、ゴム製であり、下床１０上に防振部材３０を介して設置される。脚部２２は、複数例えば３段の円柱を重ねた形状であり、上面にボルト部２４の下端の第１フランジ部２４０を挿入する開口を有する。脚部２２が凹部３１に挿入される部分の外面は、略鉛直方向へ延びている。
【００３４】
ボルト部２４は、合成樹脂製の棒状であり、外周面にねじ山が形成される。ボルト部２４の下端は、第１フランジ部２４０と、第２フランジ部２４２と、第１フランジ部２４０及び第２フランジ部２４２を連結する連結軸部２４４と、を有する。第１フランジ部２４０及び第２フランジ部２４２は、連結軸部２４４の直径よりも水平方向に広い面を有している。第１フランジ部２４０及び連結軸部２４４を脚部２２の開口２２０内に挿入し、第１フランジ部２４０と第２フランジ部２４２とで脚部２２の開口２２０の周囲を上下で挟むように配置することで、脚部２２とボルト部２４とを一体化する。
【００３５】
ボルト部２４の上端には、溝２４６が形成されており、施工時に、溝２４６にマイナスドライバーを上方から差し込んでボルト部２４を回すことができる。
【００３６】
受け部２６は、上床６０を上面に直接または土台材４０を介して間接に受けるものである。受け部２６は、平坦な上面と、図示しない雌ねじが形成された貫通孔と、を有する。ボルト部２４を、受け部２６を回しながら貫通孔にねじ込むことで脚部２２から受け部２６の上面までの高さを変化させることができる。施工時では、受け部２６上にベースパネル６２を敷き込むと共に、ボルト部２４の溝２４６にマイナスドライバーを差し込んでボルト部２４を回転させ、受け部２６の高さを所定高さに調整することで、ベースパネル６２のレベルを調整することができる。
【００３７】
土台材４０は、ベースパネル６２の下面を補強すると共に、ボルト部２４の上下の調整を許容するものであり、施工時に、ベースパネル６２及び受け部２６にコーススレッドで固定される。
【００３８】
３．防振部材
図２〜図４を用いて、防振部材３０について説明する。図３は一実施形態に係る防振部材３０の縦断面図であり、図４は一実施形態に係る防振部材３０の平面図である。
【００３９】
図２に示すように、防振部材３０は、二重床構造１００の支持具を載せるゴム製の防振部材３０である。防振部材３０は、支持具２０の下端に設けられたゴム製の脚部２２の一部を入れる凹部３１を含む。凹部３１を脚部２２の全部が入る深さだと、防振部材３０から脚部２２への振動の伝達量が大きくなるため好ましくない。防振部材３０は、上面側に凹部３１を有し、中心に貫通孔３６が形成された略円板状である。
【００４０】
図２及び図３に示すように、凹部３１は、脚部２２の下面２２２と接触する底面３３と、脚部２２の周りに配置される環状の側面３２と、側面３２から内方へ突出する複数の凸部３４と、を含む。ゴム製の防振部材３０が支持具２０の脚部２２へ伝わる振動を減衰し、さらに、凸部３４によって側面３２と支持具２０の脚部２２との間に間隔を設けることができ、脚部２２への振動の伝達を減少させることができる。凸部３４は、側面３２から凹部３１の内方すなわち凹部３１の中心軸側へ向かって突出する。環状の側面３２は、脚部２２の外面に合うように鉛直方向へ延びる。
【００４１】
図３及び図４に示すように、互いに隣接する凸部３４は、間隔を隔てて側面３２の全周にわたって配置される。複数の凸部３４が側面３２の全周にわたって配置されることで、脚部２２と側面３２との偏った接触を防ぎ、防振部材３０から脚部２２への振動の伝達を確実に減少させることができる。凸部３４は、側面３２の全高にわたって形成される。凸部３４と脚部２２との高さ方向での偏った接触を防止するためである。
【００４２】
凸部３４は、凹部３１に脚部２２の一部を入れた際に、脚部２２の外面と接触する。全ての凸部３４が脚部２２の外面と接触することにより、脚部２２を凹部３１に入れた際に
凹部３１の所定位置に脚部２２を導き易い。また、凸部３４と脚部２２の外面との接触による摩擦力により、施工時に凹部３１へ脚部２２を挿入した後で、支持具２０を移動させても脚部２２から防振部材３０が外れにくくなり、取り扱いやすくなる。
【００４３】
凸部３４が脚部２２の外面と接触する面積は、側面３２の全体の面積の半分以下であることが好ましい。側面３２の全体の面積とは、環状の側面３２における凸部３４が脚部の外面と接触する面積と凸部３４を除いた側面３２の面積とを合計した面積である。凹部３１の側面３２と脚部２２とが接触する面積を側面３２の面積の半分以下とすることで、防振部材３０から脚部２２への振動の伝達をより減少させることができる。凸部３４は、凸部３４の脚部２２の外面と接触する面の幅よりも隣接する凸部３４の間隔が大きい。
【００４４】
凹部３１の深さ（側面３２の高さ）は、脚部２２の高さの１／８〜１／３の範囲内であることが好ましい。凹部３１の深さが浅ければ、施工時に脚部２２を容易に凹部３１に入れることができ、施工性に優れるため、脚部２２の高さの１／３以下とすることが好ましい。また、凹部３１の深さが浅いと、側面３２と脚部２２の外面との接触面積が小さくなり、防振部材３０と脚部２２との間の振動の伝達をより減少させることができるため、脚部２２の高さの１／３以下とすることが好ましい。凹部３１の深さが浅すぎると、脚部２２が凹部３１から抜けやすくなるため、脚部２２の高さの１／８以上とすることが好ましい。
【００４５】
このように、凹部３１の深さが浅いことで、防振部材３０を市販の支持具２０の脚部２２に被せるキャップのように容易に着脱することができため、市販の支持具２０の防振性を施工現場の対応で容易に向上させることができる。
【００４６】
防振部材３０のゴム硬度は、脚部２２のゴム硬度よりも低いことが好ましい。支持具２０の脚部２２は上床６０を支えなければならないため、防振性を犠牲にした比較的高いゴム硬度を有するが、防振部材３０が脚部２２より低いゴム硬度を有することで支持具２０の脚部２２よりも高い防振性を有することができる。ゴム硬度は、ＪＩＳ−Ａ型硬度計を用いて測定することができる。支持具２０は市販されているものを用いることができるため、脚部２２のゴム硬度は様々であるが、脚部２２のゴム硬度より低いゴム硬度の防振部材３０を選択すればよい。
【００４７】
防振部材３０の防振性は、単純にゴム硬度にのみ依存するとは言えないが、比較的低周波の振動に対する防振性に優れるためには、例えば、ゴム硬度が６０度以下であることが好ましい。
【００４８】
図３に示すように、防振部材３０の中心には貫通孔３６が形成され、防振部材３０の底面側には底溝３８が形成される。底溝３８は、環状に形成される。
【００４９】
本考案は、上述した実施形態に限定されるものではなく、さらに種々の変形が可能である。例えば、本考案は、実施形態で説明した構成と実質的に同一の構成（例えば、機能、方法、及び結果が同一の構成、あるいは目的及び効果が同一の構成）を含む。また、本考案は、実施形態で説明した構成の本質的でない部分を置き換えた構成を含む。また、本考案は、実施形態で説明した構成と同一の作用効果を奏する構成又は同一の目的を達成することができる構成を含む。また、本考案は、実施形態で説明した構成に公知技術を付加した構成を含む。
【符号の説明】
【００５０】
１０…下床、２０…支持具、２２…脚部、２２０…開口、２２２…下面、２４…ボルト部、２４０…第１フランジ部、２４２…第２フランジ部、２４４…連結軸部、２４６…溝
、２６…受け部、３０…防振部材、３１…凹部、３２…側面、３３…底面、３４…凸部、３６…貫通孔、３８…底溝、４０…土台材、６０…上床、６２…ベースパネル、６４…仕上材、１００…二重床構造、１０２…居室
【図１】
0003211904.tif 000003
【図２】
0003211904.tif 000004
【図３】
0003211904.tif 000005
【図４】
0003211904.tif 000006